(57)【要約】【課題】写真処理装置などの荷物が搬送中などにおいて、荷物が破損しないようにした支承手段を提供する。【解決手段】この支承手段には、荷物の底部に接合する可撓性板部１１と、該可撓性板部１１の両端縁から下方に突出する足部１２とを弾性材料を用いて一体成形したクッション体１０が備えられている。前記足部１２は、Ｌ字形に折曲されている。前記可撓性板部１１には、荷物の両側下端部を挟む一対の固定部１３，１３が突出している。前記クッション体１０の足部１２に第一の枕木２０が固定されている。そして、２本のクッション体１０は、荷物の底部の両側に配置され、この２本のクッション体１０，１０の間に、荷物の底部を支承する１本または２本以上の第二の枕木３０が並列的に配置されている。【選択図】図２
2007153418.tif 000002
【特許請求の範囲】
【請求項１】
荷物を複数本で支承する支承手段であって、
荷物の底部に着脱される可撓性板部と、該可撓性板部の両端縁から下方に突出する足部とを弾性材料を用いて一体成形したクッション体が備えられていることを特徴とする支承手段。
【請求項２】
前記足部は、Ｌ字形に折曲されていることを特徴とする請求項１に記載の支承手段。
【請求項３】
前記可撓性板部には、荷物の底部両側を挟む固定部が突出していることを特徴とする請求項１または２に記載の支承手段。
【請求項４】
前記クッション体の足部に枕木が固定されていることを特徴とする請求項１ないし３のいずれか１項に記載の支承手段。
【請求項５】
前記クッション体と、荷物の底部を直接的に支承する枕木とが並列的に組み合わされて配置されていることを特徴とする請求項１ないし４のいずれか１項に記載の支承手段。
【請求項６】
前記枕木は、荷物の底部の両端に配置された２本のクッション体の間に並列的に配置されていることを特徴とする請求項５に記載の支承手段。
【発明の詳細な説明】
【技術分野】
【０００１】
本発明は、例えば写真処理装置といった荷物を搬送するときに使用する支承手段に関し、詳しくは、荷物に衝撃力が加えられても、荷物を損傷させることがないようにした支承手段に関する。
【背景技術】
【０００２】
図５および図６に示すように、写真処理装置１００は、露光処理部としての露光処理ユニットを主として収容するプリンタ部１０１、現像処理部としての現像処理ユニットを主として収容するプロセッサ部１０３、および両者１０１，１０３をつなぐ連結部１０２とを備えている。プリンタ部１０１、連結部１０２およびプロセッサ部１０３は、同一のフレームや筐体によって一体化され、筐体の底部にはキャスタ１０５が取り付けられている。
【０００３】
前記プリンタ部１０１は、長尺の感光材料をロール状に巻回したものを回転可能に収容するマガジンと、該マガジンから引き出された感光材料をカッターで所定の長さに切断した後、搬送する搬送ユニットと、該搬送ユニットから受け取った感光材料を副走査方向に搬送しながら走査露光する露光処理ユニットとを備えている。
【０００４】
前記連結部１０２は、露光処理ユニットから露光処理を終えて排出される感光材料を順次受け取り、感光材料を左右交互に振り分けてプロセッサ部１０３に送り込む振分け部としての振分け搬送ユニットを備えている。
【０００５】
前記プロセッサ部１０３は、露光された感光材料を並列搬送しつつ、現像、漂白、定着及び安定化処理する現像処理ユニットと、現像処理された感光材料に対して温風を吹き付けて乾燥処理する乾燥処理ユニットと、乾燥処理されて外部に排出された感光材料を写真プリントとしてオーダごとに仕分ける仕分けユニットとを備えている。
【０００６】
このような写真処理装置１００は、底のない箱型のカバー（図示せず）で覆われた上で、例えばフォークリフトによって搬送される。搬送に際して、写真処理装置１００は、クレーンなどで若干持ち上げられ、図６の仮想線に示すように、フロアにセットされたパレットＰ上の支承手段上に載置される。支承手段は、複数本の枕木３０，３０…を平行に配列したもので、枕木３０，３０…は、キャスタ１０５の高さよりも厚く形成されている。したがって、写真処理装置１００は、枕木３０，３０…上に載置されることにより、パレットＰ上を滑ることなくフォーリフトによって搬送される。
【０００７】
なお、電子機器などの梱包対象体を輸送するための梱包箱であって、微振動などの外力が加えられても、梱包対象体が破損しないようにした梱包箱が特許文献１に開示されている。
【０００８】
【特許文献１】特開２００２−３３７９４６号公報
【発明の開示】
【発明が解決しようとする課題】
【０００９】
搬送中のフォークリフトからパレットＰ上の枕木３０，３０…に支承されている写真処理装置１００に微震動などの衝撃力が加えられることがある。枕木３０，３０…は、写真処理装置１００のフレームを支承し、フレームには各種の部品が取り付けられていることから、衝撃力が部品に伝達され、部品が破損することもある。この場合、破損した写真処理装置１００は廃棄されるため、歩留まりが低下する。
【００１０】
また、特許文献１に開示された梱包箱は、箱本体の内部に梱包対象体と緩衝機構とを収納するものであり、梱包対象体の底側にも箱本体が介在していることから、写真処理装置１００の搬送用として使用することはできない。
【００１１】
そこで、本発明は、写真処理装置などの荷物が搬送されるときなどにおいて、破損することがないようにした支承手段を提供することを課題とする。
【課題を解決するための手段】
【００１２】
本発明に係る支承手段は、荷物を複数本で支承する支承手段であって、荷物の底部に着脱される可撓性板部と、該可撓性板部の両端縁から下方に突出する足部とを弾性材料を用いて一体成形したクッション体が備えられていることを特徴としている。
【００１３】
この支承手段によれば、可撓性板部と足部とを弾性材料を用いて一体成形したクッション体が備えられ、足部が可撓性板部の両端縁から下方に突出していることにより、可撓性板部は足部の上端縁に架け渡された状態となっている。足部は、例えば枕木またはパレット上に載置される。したがって、可撓性板部は、荷物の底部を足の高さ分だけ枕木またはパレットから持ち上げた状態に着脱する。そして、クッション体は、弾性材料によって成形されていることから、衝撃力が加えられたときに板バネのように変形し、また、元の状態に復元する。したがって、荷物を支承した可撓性板部は、搬送中などにおいて、衝撃力が加えられても、この衝撃力を吸収し、荷物に衝撃力が伝達されないようにすることができる。
【００１４】
また、前記本発明に係る支承手段において、前記足部は、Ｌ字形に折曲されていることが好ましい。
【００１５】
この支承手段によれば、足部がＬ字形に折曲されていることにより、クッション体は例えば枕木またはパレット上に安定して載置される。すなわち、足部は、枕木またはパレットと接合する坐臥部と可撓性板部から垂直に連続する起立部とをＬ字形に一体成形したものであり、坐臥部が枕木またはパレットと面で接合することにより、摩擦力が大きくなってクッション体は安定する。そして、坐臥部に連結穴が形成されると、この連結穴から枕木またはパレットにネジなどの固定治具が締められ、クッション体が枕木またはパレットと一体化される。
【００１６】
また、前記本発明に係る支承手段において、前記可撓性板部には、荷物の底部両側を挟む固定部が突出していることが好ましい。
【００１７】
この支承手段によれば、可撓性板部から固定部が突出されていることにより、可撓性板部上の荷物の底部両側が固定部に挟まれ、安定して搬送される。なお荷物の下端部に貫通穴が形成されている場合においては、この貫通穴と連通する連結穴が固定部に形成されると、貫通穴と連結穴にボルトなどの固定治具が締め付けられることにより、クッション体と荷物とが一体化され、荷物がクッション体から脱落しないようにすることができる。
【００１８】
また、前記本発明に係る支承手段において、前記クッション体の足部に枕木が固定されていることが好ましい。
【００１９】
この支承手段によれば、クッション体の足部に枕木が固定されることにより、クッション体の足部からパレットに直接荷重が加えられず、パレットを損傷しないようにすることができる。また、荷物の底部にキャスタが取り付けられている場合にあっては、支承手段はキャスタの高さ以上の厚さに形成しなければならないが、枕木がない場合は足部が長くなって不安定となることもある。しかし、枕木が備えられることにより、足部を短くすることができ、クッション体の姿勢の安定化を図ることができる。
【００２０】
また、前記本発明に係る支承手段において、前記クッション体と、荷物の底部を直接的に支承する枕木とが並列的に組み合わされて配置されていることが好ましい。
【００２１】
この支承手段によれば、荷物が並列的に組み合わされたクッション体と枕木とに支承されることにより、荷物が重量物であるときに、各クッション体と枕木に加えられる荷重が分散され、クッション体が破損しないようにすることができる。そして、クッション体と枕木を組み合わせた支承手段は、クッション体だけの支承手段よりもコストダウンを図ることができる。
【００２２】
また、前記本発明に係る支承手段において、前記枕木は、荷物の底部の両端に配置された２本のクッション体の間に並列的に配置されていることが好ましい。
【００２３】
この支承手段によれば、２本のクッション体が荷物の両側を支承する。両側にフレームが配置されている荷物にあっては、クッション体はフレームを支承する。フレームには、クッション体によって衝撃力が加えられないため、フレームやフレームに取り付けられた部品などを破損しないようにすることができる。
【発明の効果】
【００２４】
本発明によれば、支承手段が可撓性板部と足部とを弾性材料を用いて一体成形したクッション体を備えたものとしたことにより、荷物の搬送途中において生じる衝撃力がクッション体に吸収される。したがって、このクッション体に支承された荷物には、衝撃力が伝達されないため、荷物は破損することがなく出荷され、歩留まりを向上させることができる。
【発明を実施するための最良の形態】
【００２５】
本発明に係る支承手段の一実施形態について図１ないし図４を参照しながら説明する。この支承手段は荷物、例えば図１および図２に示すような写真処理装置１００を搬送するときに使用するもので、クッション体１０と第一の枕木２０と第二の枕木３０とを備えている。
【００２６】
写真処理装置１００は、プリンタ部１０１、連結部１０２そしてプロセッサ部１０３が一体化されたものであり、図示したように、プリンタ部１０１にオプション的にダブルマガジン用のマガジン収容部１０１ａが取り付けられていてもよい。プリンタ部１０１、プロセッサ部１０３およびオプションのマガジン収容部１０１ａの底部にはキャスタ１０５が取り付けられている。
【００２７】
そして、この実施形態の支承手段に備えられたクッション体１０は、図１および図２に示すように、写真処理装置１００の両端、すなわちマガジン収容部１０１ａ（マガジン収容部１０１ａが取り付けられていないときは、プリンタ部１０１）とプロセッサ部１０３を支承する。このクッション体１０は、好ましくは、フレームを支承するため、帯状に成形されているが、幅広に形成してもよい。
【００２８】
このクッション体１０は、図３にも示すように、写真処理装置１００の底部に接合する可撓性板部１１と、この可撓性板部１１の両端縁から下方に突出する一対の足部１２，１２とを弾性材料を用いて一体成形したものである。可撓性板部１１は、写真処理装置１００の奥行きよりも長く、写真処理装置１００の両側、すなわち正面および背面から突出している。また、足部１２は、第一の枕木２０に接合する坐臥部１２ａと、可撓性板部１１から垂直に連続する起立部１２ｂとをＬ字形に折曲したもので、坐臥部１２ａには連結穴１２ｃが形成されている。ただし、足部１２は、逆Ｔ字形やＩ字形に成形するなど、形状を限定するものではない。
【００２９】
そして、可撓性板部１１の両端上面には、写真処理装置１００の底部両側、すなわち正面および背面を挟む一対の固定部１３，１３が突出している。固定部１３は、可撓性板部１１に接合する坐臥部１３ａと写真処理装置１００の下端部と接合する起立部１３ｂとをＬ字形に一体成形したもので、それぞれに連結穴１３ｃ，１３ｄが形成されている。坐臥部１３ａの連結穴１３ｃと連通する連結穴（図示せず）が可撓性板部１１にも形成されており、両連結穴にボルトなどの締結治具が締め付けられることにより、固定部１３が可撓性板部１１に固定される。ただし、固定部１３は、可撓性板部１１と一体成形したものとしてもよい。
【００３０】
また、写真処理装置１００の底部両側に貫通穴（図示せず）が形成されており、この貫通穴と連通するように、起立部１３ｂに連結穴１３ｄが形成される。この連結穴１３ｄと貫通穴とにボルトなどの締結治具が締め付けられることにより、写真処理装置１００がクッション体１０上から脱落しないようにされる。
【００３１】
このようなクッション体１０の足部１２には、図３の仮想線に示すように第一の枕木２０が固定される。第一の枕木２０は、可撓性板部１１と同じ長さで、足部１２の坐臥部１２ａに形成された連通穴からネジなどの締結具（図示せず）が締め付けられる。ただし、第一の枕木２０は、クッション体１０の足部１２の坐臥部１２ａにのみ接合する短いものを２本組み合わせたものとしてもよい。
【００３２】
いずれにしても、クッション体１０と第一の枕木２０とを合わせた厚さがキャスタ１０５の高さよりも長く、写真処理装置１００がクッション体１０および第一の枕木２０によって持ち上げられるようにされている。したがって、第一の枕木２０によって、クッション体１０の足部１２がキャスタ１０５の高さほど長くならず、足部１２が不安定にならないことから、重量のある写真処理装置１００が可撓性板部１１上に載せられても、クッション体１０は安定した姿勢を維持することができる。
【００３３】
そして、プリンタ部１０１、連結部１０２そしてプロセッサ部１０３の各底部、好ましくはフレームと接合するように、第二の枕木３０が配置されている。この第二の枕木３０も当然、写真処理装置１００の正面および背面から突出する長さで、クッション体１０と第一の枕木２０とを合わせた厚さと同じ厚さに形成され、クッション体１０および第一の枕木２０と平行に配置されている。この第二の枕木３０は、従来の技術で説明した枕木３０を使用することもできるし、新たに製造したものを使用してもよい。
【００３４】
この実施形態における支承手段は、以上のように、クッション体１０、第一の枕木２０、第二の枕木３０が組み合わされ、図１の仮想線に示すパレットＰ上にセットされる。そして、支承手段上に写真処理装置１００が載せられる。この写真処理装置１００は、キャスタ１０５がパレットＰから浮き上がるように支承手段に支承され、パレットから滑り落ちることがない。
【００３５】
そして、写真処理装置１００は、図４に示すように、底部のない箱型のカバーＣに覆われ、フォークリフトのフォークなど（図示せず）がパレットＰを持ち上げることによって搬送される。搬送に際して、微振動が生じても、可撓性板部１１が図４の仮想線に示すように、下向きの円弧形と上向きの円弧形とにゆっくりと往復動し、また、各足部１２が揺動する。このようにクッション体１０が微振動を吸収することにより、写真処理装置１００は、微振動が伝達されないで搬送される。
【００３６】
したがって、この支承手段によって搬送された写真処理装置１００は、破損することなく出荷される。また、クッション体１０の足部１２に第一の枕木２０が固定されていることから、クッション体１０がパレットＰを損傷させることもない。
【００３７】
また、この支承手段に支承された写真処理装置１００は、「ＪＩＳ  Ｚ  ０２００」落下試験において、損傷しないことが確認された。すなわち、クッション体１０が衝撃力を吸収することが証明された。
【００３８】
なお、本発明は、前記の実施形態に限定することなく、特許請求の範囲に記載された発明特定事項の範囲内において種々変更することができる。例えば、荷物は、写真処理装置１００に限定するものではなく、各種の精密機械や美術品、工芸品など振動や衝撃によって破損しやすい製品や物品であっても本支承手段に同様に支承され得る。
【００３９】
また、荷物の特性に合わせて、支承手段は、第二の枕木３０を組み合わせず、クッション体１０に第一の枕木２０を固定したものだけとし、あるいは、逆に、第二の枕木２９を使用せず、クッション体１０と第二の枕木３０との組合せとし、さらに、使用状況に合わせて、クッション体１０のみ使用してもよい。
【図面の簡単な説明】
【００４０】
【図１】本発明の一実施形態に係る支承手段を含む正面図である。
【図２】本発明の一実施形態に係る支承手段を含む下から見た斜視図である。
【図３】本発明の一実施形態に係る支承手段を上から見た斜視図である。
【図４】本発明の一実施形態に係る支承手段を含む断面側面図である。
【図５】荷物の一例を示す写真処理装置の斜視図である。
【図６】従来の支承手段を含む正面図である。
【符号の説明】
【００４１】
１０……クッション体
１１……可撓性板部
１２……足部
１３……固定部
２０……（第一の）枕木
３０……（第二の）枕木
１００…写真処理装置（荷物）
【図１】
2007153418.tif 000003
【図２】
2007153418.tif 000004
【図３】
2007153418.tif 000005
【図４】
2007153418.tif 000006
【図５】
2007153418.tif 000007
【図６】
2007153418.tif 000008